(57)【要約】【課題】  ＲＧＢ信号をＣＭＹＫ信号や特色を加えた出力信号に色変換して、高画質の印刷カラー画像を莫大なメモリや計算を必要とせずに得られる簡易な色変換方法。【解決手段】  ＲＧＢ信号と出力信号を、白を中心として、角度方向に色相、半径方向に彩度を並べ、ＲＧＢ信号の色度の代表値と、出力信号の色度の代表値を、格子点で対応させた色度変換ＬＵＴと補間演算で、入力ＲＧＢ信号の色度から出力信号の色度へ変換。輝度と墨を格子点で対応させた墨変換ＬＵＴと補間演算で輝度と出力信号の色度から出力信号の墨へ変換する。色度と墨を合成して出力信号を得る色変換方法。【選択図】  図１
2007129439.tif 000002
【特許請求の範囲】
【請求項１】
加法混色のRGB信号から減法混色出力信号への色変換において、
入力されたＲＧＢ信号の色度で、分割されたＲＧＢ信号の色域から該当する色域を特定し、
該色域に属する色度変換関数を選択し、
入力されたＲＧＢ信号の色度を、該色度変換関数により演算し、出力信号の色度を求める。
先に求めた出力信号の色度で、分割された出力信号の色域から該当する色域を特定し、
該色域に属する墨変換関数を選択し、
入力されたRGB信号の輝度を、該墨変換関数により演算し、出力信号の墨を求める。
求めた出力信号の色度と墨を合成して出力信号を得る逐次処理を特徴とする色変換方法。
【発明の詳細な説明】
【技術分野】
【０００１】
本発明は、ＲＧＢ信号を入力し少なくとも４色の異なるインクやトナーを用いて記録を行うカラー印刷装置の色変換処理部に用いられる。本発明は、ＲＧＢ信号に対して適量の出力信号を演算する演算式を用いた色変換方法と装置である。更には４色のインクやトナーに特色のインクやトナーを加えた５色以上の出力信号を求める演算式を用いた色変換方法と装置に関する発明である。
【背景技術】
【０００２】
カラー印刷装置は減法混色の基本色であるＣＭＹＫ成分のインクやトナーでカラー画像を出力する。カラー印刷装置へのRGB信号はモニタへも入力され加法混色されてモニタへカラー画像を表示する。一般的にRGB信号の加法混色により表示されるモニタのカラー画像の色域は、減法混色によるＣＭＹＫインクやトナーで表示される印刷カラー画像の色域より広い。カラー画像印刷装置は印刷カラー画像をモニタのカラー画像と同じ見えにするために、ＲＧＢ信号とCMYK信号の色相、彩度、明度、階調の差異を適宜補う色変換を行う手段を持つ。ＲＧＢ信号をCMYK信号へ色変換する手段は演算による方法や色成分を軸とした３次元ルックアップテーブル（LUT）と補間方法を組み合わせた方法等が知られている。
【０００３】
演算による方法でよく知られているのはノイゲバウアーの式であるが、RGB信号からCMYK信号を求めるには３元高次式となり簡単に解けない。更に記録紙の条件などが演算項目から不足しカラーモニタ上のカラー画像と同じ見えの印刷カラー画像が得られない事が知られている。
【０００４】
近年は出力信号であるCMYK成分を軸とする色立体の色変換ＬＵＴによる方法が多く用いられている。色変換ＬＵＴは多くのカラーサンプルを用いて各種の処理を施しRGB信号の代表値とCMYK信号の代表値を対応させた代表点を格子点とした色立体により構成される。所望のCMYK信号は、入力されたRGB信号の値に近い代表点から四面体補間等の３次元補間演算を行い求められる。
【０００５】
色変換には、RGB信号の色域とCMYK信号の色域の差異を補正するため圧縮や伸張が必要である。色域の差異に伴う補正は均等色空間を利用する事が多い。RGB信号の代表値を均等色空間であるＬ＊ａ＊ｂ＊値に変換して色域の差異に伴う補正を行いCMYK信号の代表値と対応させたＣＭＹＫ成分を軸とする色立体の色変換ＬＵＴも知られている。
【特許文献１】特登録０２７３３２５４号公報
【特許文献２】特登録０２９９４１５３号公報
【特許文献３】特開平１１−５３５０７号公報
【発明の開示】
【発明が解決しようとする課題】
【０００６】
しかしながら、色変換LUTによる色変換で精度を上げるためには色変換LUTの代表点が多数必要となり莫大なメモリと計算時間が必要となる。色変換LUTの代表点の不足や３次元の補間演算の精度が不足した場合は、カラー印刷装置の出力色空間を最大に再現できない、好ましいカラー画像の色再現が出来ない、階調性が崩れる、擬似輪郭が発生する、色違い、等の問題が生じる。
【０００７】
近年はカラー印刷装置の色域を拡大するため基本色であるCMYKインクやトナーに加えて特色インクやトナーを追加する事が増えてきている。ＣＭＹＫ成分を軸とする色立体である従来の色変換LUTによる方法では、特色の追加は色立体の軸の追加となり、色変換LUTである色立体が複雑な構造となり、補間演算の複雑さも倍増する。唯でさえ多くのメモリや計算を必要としていた上に特色分が追加された演算となるので、メモリと計算負荷は倍増する事となる。従来の色変換ＬＵＴと補間演算による色変換方法に関わる装置の負荷と色変換精度は、大きな問題となっていた。
【０００８】
CMY信号の墨CMYからCMYK信号の墨Kへ変換する際の墨ＫはCMY信号をパラメータとする関数による計算などで求められたが、明度の高い出力画像に対して粒状感を生じさせ、出力画像の画像品質を劣化させる原因となっていた。
【０００９】
本発明は上記の課題を解決する色変換方法に関わり、入力されたRGB信号をCMYK信号や特色を加えた出力信号に色変換して、高画質の印刷カラー画像が莫大なメモリや計算を必要とせずに短時間で得られる簡易な色度変換ＬＵＴと補間演算と墨変換ＬＵＴと補間演算による出力信号の決定方法である。
【課題を解決するための手段】
【００１０】
上記の目的を達成するために、本発明では、色変換を、ＲＧＢ信号の色度で選択される色度変換関数による色度変換と、出力色度で選択される墨変換関数による墨変換と、色度と墨の合成の順に、逐次で処理することにより簡易化した色変換による好ましいカラー画像の色再現を実現した。本発明は、加法混色であるRGB信号と減法混色であるCMYK信号の特性に着目して色変換を逐次で処理出来るようにした。加法混色であるRGB信号はR=G=Bで白、減法混色であるCMYK信号はC=M=Yでは黒（墨又はグレー）である。
【００１１】
RGB信号は色度と輝度の組合せで色を表しており、色度は白であるR＝G＝B成分をRGB成分から削除したもので、R、RG、GR、G、GB、BG、B、BR、RBで、２又は１成分である。輝度は0.299R+0.587G+0.114Bで求められる。CMYK信号は色度と明度で色を表しており、色度は紙の白から墨（グレー）であるＣ＝Ｍ＝Ｙ成分の墨CMYと墨Kを削除した、Ｃ、ＣＭ、ＭＣ、Ｍ、ＭＹ、ＹＭ、Ｙ、ＹＣ、ＣＹで、２又は１成分である。明度は紙からの反射光であり、白から色度と墨で減衰させた反射光である。
【００１２】
RGB信号から色変換してCMYK信号を得るに当たり、RGB信号の２又は１成分の色度をCMYK信号の２又は１成分の色度に変換して、RGB信号の輝度をCMYK信号の明度に変換して合成すれば、RGB信号は２元高次式の色度変換関数による演算でCMYK信号に色変換出来る。
【００１３】
出力信号の明度を担う墨は、ハイライト領域で墨Ｋを用いると粒状感が目立ち、高彩度領域で墨CMYを用いると色材料が溢れ色濁りを生じる。墨Kと墨CMYは適切な使い分けが必要である。出力信号成分の墨寄与は高彩度におけるM成分が最大でC成分も大きく、Y成分の墨寄与は大変少ない。墨は輝度に比例するが墨の演算には色度の考慮が必要である。本発明では、出力信号の色度毎に独立に設定された墨変換関数で輝度から墨を演算する事で、出力信号の色度毎に正確な明度と階調を持ち、粒状感も良い適切な墨Kと墨CMYを演算する。
【００１４】
更に詳しく色度の変換から説明する。
【００１５】
ＲＧＢ信号の色域と出力信号であるＣＭＹＫ信号の色域は一致していないので、色度の変換におけるＲＧＢ信号とＣＭＹＫ信号の色度の関係付けは、色相を保持し全体の均等圧縮、色域外は境界に圧縮、色差を最少に圧縮、特定の色を保持、等の色度変換方針によって決定される。色相を保持した場合の色度変換の方針例を図６に示す。夫々の色度において、色度変換の方針に則りＲＧＢ信号の色度に対応するＣＭＹＫ信号の色度が決定される。
【００１６】
色度変換方針に関わる係数ｃとｍとｙを用いるとＲＧＢ信号とＣＭＹＫ信号の色度の関係は、図７の様に表される。ＲＧＢ信号の成分量をα、対応するＣＭＹＫ信号の成分量をβとする時、ＲＧＢ信号のＧとＢの色度(0,cα,α) ではCMYK信号の色度(β,0,0,0)のＣ色相 、ＲＧＢ信号のＢとＲの色度(α,0,mα) ではCMYK信号の色度(0,β,0,0)のＭ色相、ＲＧＢ信号のＲとＧの色度(yα,α,0) ではCMYK信号の色度(0,0,β,0) のＹ色相となる。この様に色度変換方針に則ったＲＧＢ信号とＣＭＹＫ信号の色度の関係を一般化して表せる。この関係を利用するとＲＧＢ信号の色度でＣＭＹＫ信号の色度を特定することが出来る。
【００１７】
ＲＧＢ信号の色成分がＧとＢである時、
Ｇ/Ｂ≧ｃではＣとＹで表される色相に該当するので、ＧとＢ成分の色度からCとＹ成分の色度への変換となる。Ｇ/Ｂ≦ｃではＣとＭの色相に該当するので、ＧとＢ成分の色度からＣとＭ成分の色度への変換となる。Ｇ/Ｂ＝ｃではCMY信号がC色相に該当するので、ＧとＢ成分の色度からC成分の色度への変換となる。
【００１８】
RGB信号の色成分がRとBである時、
Ｂ/Ｒ≧ｍではＭとＣの色相に該当するので、ＢとＲ成分の色度からＭとＣ成分の色度への変換となる。Ｂ/Ｒ≦ｍではＭとＹの色相に該当するので、ＢとＲ成分の色度からＭとＹ成分の色度への変換となる。Ｂ/Ｒ＝ｍではCMY信号がＭ色相に該当するので、ＢとＲ成分の色度からＭ成分の色度への変換となる。
【００１９】
RGB信号の色成分がGとRの成分である時、
Ｒ/Ｇ≧ｙではＹとＭの色相に該当するので、GとR成分の色度からＹとＭ成分の色度への変換となる。Ｒ/Ｇ≦ｙではＹとＣの色相に該当するので、ＲとＧ成分の色度からＹとＣ成分の色度への変換となる。Ｒ/Ｇ＝ｙではCMY信号がＹ色相に該当するので、ＲとＧ成分の色度からＹ成分の色度への変換となる。以上の様に、ＲＧＢ信号の色度は出力信号の色度と対応させることが出来て、RGB信号の２又は１成分は、出力信号のCMYK信号の２又は１成分への色度変換となる。
【００２０】
ＲＧＢ信号の色相で限定される色域毎に設定された色度変換関数はＲＧＢ信号が２又は１成分、出力信号も２又は１成分で２元高次式となることが判る。本発明では、色度変換方針を加味した色度変換関数でＲＧＢ信号から出力信号へ演算により色度変換を行う。RGB信号からCMYK信号への色度変換を図２に示す。色度変換関数は、（１）r=0,g/b≦cでは色度変換関数Fcm、（２）g=0,b/r≧mでは色度変換関数Fmc、（３）g=0,b/r≦mでは色度変換関数Fmy、（４）b=0,r/g≧yでは色度変換関数Fym、（５）b=0,r/g≦yでは色度変換関数Fyc、（６）r=0,g/b≧cでは色度変換関数Fcy、となる。
【００２１】
出力信号としてＹ：Ｍ＝２：１と同色相でより高彩度な色であるＯ成分を加えてＣＭＹＯＫ信号とした場合もＣＭＹＫ信号と同様な色度変換が可能である。ＣＭＹＯＫ信号の色度も隣り合う１又は２成分で表わされ、C、CM、MC、M、MO、OM、O、YO、Y、YC、CYである。色度変換方針に関わる係数ｃとｍとｙとoを用いるとＲＧＢ信号とＣＭＹＯＫ信号の色度の関係は図８の様に表される。ＲＧＢ信号からCMYOK信号への色度変換は、色度変換方針に関わる係数ｃとｍとｙとoとすると、CMYK信号と同様にRGB信号の２又は１成分からCMYOK信号の２又は１成分への変換となる。ＲＧＢ信号が色相で限定される色域毎に設定された色度変換関数は、ＲＧＢ信号が２又は１成分、出力信号も２又は１成分となり、２元高次式となることが判る。図２１にＣＭＹＯＫ信号の色相に曲がりが無い場合の例を示す。
【００２２】
出力信号の一部の成分は彩度が高くなると色相に曲がりを生じるものがある。ＣＭＹＫ信号の彩度θ1でＹ色相に曲がりを生じる場合は、ＣＭＹＫ信号のＹ色相の成分(c,m,y,k)は(0,0,β,0,0)で表され、Ｙ色相に対応するＲＧＢ信号の成分(r,g,b)は彩度θ1以下では(y1α,α,0)、 彩度θ1以上では(y2α,α+γ,0)となる。色度変換方針に関わる係数ｃとｍとｙ1とｙ2とγ用いるとＲＧＢ信号とＣＭＹＫ信号の色度の関係は図９の様に表される。Ｙ色相の彩度θ1に対応するＲＧＢ信号の彩度√r2+g2がｘ1であるとすると、図２２に示す様に色度変換関数はＲＧＢ信号の色度と彩度で選択される。ＲＧＢ信号が色相と彩度で限定される色域毎に設定された色度変換関数は、ＲＧＢ信号が２又は１成分、出力信号も２又は１成分で２元高次式となることが判る。Ｙ色相の彩度θ1に曲がりがある場合の色度変換関数は、（１）r=0,g/b≦cでは色度変換関数Fcm、（２）g=0,b/r≧mでは色度変換関数Fmc、（３）g=0,b/r≦mでは色度変換関数Fmy、（４）b=0,√r2+g2≦ｘ1,r/g≧y1では色度変換関数Fy1m、（５）b=0,√r2+g2≧ｘ1,r/(g+γ)≧y2では色度変換関数、（６）b=0,√r2+g2≦ｘ1,r/g≦y1では色度変換関数Fy1c、（７）b=0,√r2+g2≧ｘ1,r/(g+γ)≦y2では色度変換関数Fy2c、（８）r=0,g/b≧cでは色度変換関数Fcy、となる。
【００２３】
特色成分でも彩度が高くなると色相に曲がりを生じるものがある。ＣＭＹＯＫ信号においてＹ色相の彩度θ1とＯ色相の彩度θ2に曲がりがある場合の色度変換関数を図２３と図１０に示す。ＣＭＹＯＫ信号のＹ成分の彩度θ1に対応するＲＧＢ信号の彩度をｘ1、Ｏ成分の彩度θ2に対応するＲＧＢ信号の彩度をｘ2とする。この場合の色度変換関数はＲＧＢ信号の色度と彩度で決定される。ＲＧＢ信号が色相と彩度で限定される色域毎に設定された色度変換関数はＲＧＢ信号が２又は１成分、出力信号も２又は１成分である２元高次式となる。Ｙ色相の彩度θ1とＯ色相の彩度θ2に曲がりがある場合の色度変換関数は、（１）r=0,g/b≦cは色度変換関数Fcm、（２）g=0,b/r≧mは色度変換関数Fmc、（３）g=0,b/r≦oは色度変換関数Fmo、（４）b=0,√r2+g2≦x2,r/g≧o1は色度変換関数Fo1m、（５）b=0, √r2+g2≧x2,r/(g+δ)≧o2は色度変換関数Fo2m、（６）b=0,√r2+g2≦x1,o1≧r/g≧y1は色度変換関数Fy1o1、（７）b=0,x2≧√r2+g2≧x1,o1≧r/g≧y1は色度変換関数Fy2o1、（８）b=0,√r2+g2≧x2,r/(g+γ)≧y2,r/(g+δ)≦o2は色度変換関数Fy2c、（９）b=0,√r2+g2≦x1,r/g≦y1は色度変換関数Fy1c、（１０）b=0,√r2+g2≧x1,r/(g+γ)≦y2は色度変換関数Fy2c、（１１）r=0,g/b≧cは色度変換関数Fcy、となる。
【００２４】
本発明による色変換では、出力信号に追加する特色はＯ成分に限定されず、追加する成分が複数であっても同様な色変換が可能である。出力信号としてＯ成分に加えＣ：Ｙ＝2：1と同色相でより高彩度な色であるＥ成分も加えたＣＭＹＯＥＫ信号の例を示す。ＣＭＹＯＥＫ信号の色度も隣り合う２又は１成分で表現され、C、CM、MC、M、MO、OM、O、YO、Y、YE、EY、E、CEである。ＲＧＢ信号からCMYOEK信号への色度変換はCMYK信号と同様にRGB信号の２又は１成分からCMYOK信号の２又は１成分への変換となる。色度変換方針に関わる係数ｃとｍとｙとoとeを用いるとＲＧＢ信号とＣＭＹＫ信号の色度の関係は図１２の様に表される。
【００２５】
ＲＧＢ信号からCMYOＥK信号への色度変換は、色度変換方針に関わる係数を設定すればCMYK信号と同様にRGB信号の２又は１成分からCMYOK信号の２又は１成分への変換となる。ＲＧＢ信号が色相で限定される色域毎に設定された色度変換関数は、ＲＧＢ信号が２又は１成分、出力信号も２又は１成分となり、２元高次式となることが判る。
【００２６】
次に墨変換を詳しく説明する。
【００２７】
輝度から明度を担う墨への変換において、出力信号の色度は明度へ大きく寄与するので、先に求めた出力信号の色度毎に墨変換関数を設定して輝度から墨への変換を行う。ＣＭＹＫ信号においては図１８に示す様に、（１）y=0,c≧mでは墨変換関数Lmc、（２）y=0,c≦mでは墨変換関数Lmc、（３）c=0,m≧yでは墨変換関数Lmy、（４）c=0,m≦yでは墨変換関数Lym、（５）m=0,y≧cでは墨変換関数Lyc、（６）m=0,y≦cでは墨変換関数Lcy、である。
【００２８】
特色を含むＣＭＹＯＫ信号においては図１９に示す様に、（１）y=0,o=0,c≧mでは墨変換関数Lcm、（２）y=0,o=0,c≦mでは墨変換関数Lmc、（３）c=0,y=0,m≧oでは墨変換関数Lmy、（４）c=0,y=0,m≦oでは墨変換関数Lym、（５）c=0,m=0, y≦oでは墨変換関数Loy、（６）c=0,m=0, y≧oでは墨変換関数Lyo、（７）m=0,o=0,y≧cでは墨変換関数Lyc、（８）m=0,o=0,y≦cでは墨変換関数Lcy、である。高明度では粒状感対策を主とした墨CMYを用いた墨変換を行い、高彩度や低明度では成分量を抑えた墨Kを主とした墨変換を行う。
【００２９】
本発明は、ＲＧＢ信号の色域を出力信号の色度に対応したＲＧＢ信号の色度で分割し、分割された色域毎に色度変換関数を設定してＲＧＢ信号の色度から出力信号の色度を演算、演算された出力信号の色度に応じて墨変換関数を設定し、墨変換関数により輝度から墨を演算、最後に出力信号の色度と墨を合成して色変換を行う。色変換は従来の一括演算に比べて、逐次の演算により容易に高精度な色変換が可能となった。更には出力信号の基本色に特色を加える場合も基本色と同様に、色度変換関数で出力信号の色度を演算、墨変換関数で墨を演算、最後に出力信号の色度と墨を合成して色変換が行える。
【００３０】
ＣＭＹＯＥＫ信号も、ＲＧＢ信号から色度変換関数で色度を演算し、墨変換関数で墨を演算して合成することで色変換が出来る。
【００３１】
図１１に本発明によるＲＧＢ信号から出力信号である特色を含んだCMYOK信号への色変換の概念を示す。
【発明の効果】
【００３２】
従来、RGB信号からCMY信号を１つの演算式で求めようとしたため、３元高次式となり解答が困難になり演算結果も不十分であったが、本発明による色変換では、ＲＧＢ信号の色度で分割したＲＧＢ信号の色域毎に色度変換関数を設置して、ＲＧＢ信号の色度から色度変換関数で出力信号の色度を求め、出力信号の色度で分割された色域毎に墨変換関数を設置して、輝度と出力信号の色度から墨変換関数で墨を求め、最後にこれらを合成する逐次処理により比較的簡易な演算でありながら精度の高い色変換が可能となった。近年多く用いられている莫大なメモリや計算を必要とするＬＵＴと補間計算による色変換に対しても、本発明による色変換は、メモリ使用量と計算負荷が圧倒的に少ないにも関わらず精度の高い色変換が可能となった。更には、特色を加えた出力信号の色変換へも適用が容易であり、カラー印刷装置の出力色空間を最大に活用して狙い通りの階調性を持つ好ましいカラー画像の色再現が実現できた。本発明による色変換で、従来問題とされていた擬似輪郭や、色違い、等が解消された。本発明による色変換演算では、莫大なメモリや計算が不要となり装置への負担が少ないので色変換処理時間が短縮出来た。
【発明を実施するための最良の形態】
【００３３】
（実施例１）
以下、図４に示す実施例にしたがって本発明による色度変換関数の作成を説明する。色度変換関数へのＲＧＢ信号は８ビットRGB信号、色度変換関数で色度変換される出力信号は基本色の８ビットＣＭＹＫ信号と特色を加えた例として８ビットＣＭＹＯＫ信号である。
【００３４】
色度変換関数は、ＲＧＢ信号の色域を出力信号であるＣＭＹＫ信号やＣＭＹＯＫ信号に対応する様に色度と彩度で分割した色域毎に設定される。色度変換関数は、分割した出力信号の色域に色度代表点を設定し、この色度代表点に望ましいＲＧＢ信号の色度を設定して出力色度代表点と入力色度代表点の組合せを作り、この組合せを用いて帰納法により作成される。
【００３５】
（１）出力信号の色域を表す出力色度代表点を設定
出力信号がCMYＫ信号の例を説明する。CMYＫ信号の色域の高明度側全体を表す出力色度代表点を図１３に示した。６つ同心円は中心が白で外側が高彩度を表している。同心円の内側から放射状に伸びた３本の実線はCMY成分に対応する色相線で、残る９本の点線は色域の高明度側全体を表すCMY成分を補足する色相線である。出力色度代表点は、６つの同心円で表される彩度と放射状に伸びた１２本の色相線との交点である。次に出力信号がCMYＯＫ信号である例を示す。CMYOＫ信号の色域の高明度側全体を表す出力色度代表点を図１４に示した。６つ同心円は中心が白で外側が高彩度を表している。同心円の内側から放射状に伸びた４本の実線はCMYO成分に対応する色相線で、残る９本の点線は色域の高明度側全体を表すCMYO成分を補足する色相線である。出力色度代表点は、６つの同心円で表される彩度と放射状に伸びた１３本の色相線との交点である。出力色度代表点は、該当する色域の彩度と色相を適宜選択して示すものである。
【００３６】
（２）出力色度代表点のカラーパッチを作成して測色
出力色度代表点の色度カラーパッチを作成、測色してＣＭＹＫ色域やCMYＯＫ信号の色域を表す出力色度代表点の測色値を得る。CMYK信号の色度カラーパッチの成分を図３０にCMYOK信号の色度カラーパッチの成分を図３２に示す。
【００３７】
（３）ＲＧＢ信号の入力色度代表点を測色
出力色度代表点の色度カラーパッチは墨が無い（色度の成分のみ）高明度となっている。この色度カラーパッチに対応する高輝度側のＲＧＢ信号例を図１６に示した。高輝度側色域はＲＧＢ信号が少なくとも１成分はフル点灯（255）となっている。図１５にＲＧＢ信号の高輝度側色域全体を表す高輝度側入力色度代表点を示した。６つ同心円は中心が白で外側が高彩度を表している。同心円の内側から放射状に伸びた３本の実線はＲＧＢ成分に対応する色相線で、９本の点線はＲＧＢ色相線を補足して色域を均一に表す色相線である。入力色度代表点は、６つの同心円で表される彩度と放射状に伸びた１２本の色相線との交点で高輝度側色域を均一に表している。加えて３本の一点鎖線は追加される特色Ｏ成分に合わせた色相線で、６つ同心円との交点がその入力色度代表点である。図３３にこれら入力色度代表点のＲＧＢ成分を示す。入力色度代表点のＲＧＢ信号をモニタに表示してこれを測色した。尚、入力色度代表点のＲＧＢ成分からＲ＝Ｇ＝Ｂ成分を削除したものがＲＧＢ信号の色度である。
【００３８】
（４）色度変換方針の決定
図６には彩度に関わる色度変換方針例を示す。先に求めた図１３と図１４に示す様な色度カラーパッチの測色値と図１６に示す様なＲＧＢ信号の入力色度代表点の測色値から色度変換方針を決める。色度変換方針は彩度のみでなく必要に応じて色相を変える等、適宜決めることが出来る。方針によっては出力信号の色度カラーパッチやＲＧＢ信号の入力色度代表点を追加して測色を行う。
【００３９】
（５）出力色度代表点に対応するＲＧＢ信号の色度と分割する色域を決定
色度変換方針に則って、出力色度代表点の測色値に対応するＲＧＢ信号の測色値を割当てる。このＲＧＢ信号の測色値に合致するＲＧＢ信号を図１６に示す。割当てるＲＧＢ新語の探索は、図１６に示される様にＲＧＢ３成分の内少なくとも１つを最大点灯量にしたモニタを測色して行う。この探索により出力色度代表点に対応するRGB信号が得られる。このＲＧＢ信号からＲ＝Ｇ＝Ｂの成分を削除して、出力色度代表点に対応するＲＧＢ信号の色度が決定される。これによりRGB信号の色度成分比で色度変換関数用に色域が分割できる。図７は色相に曲がりが無いＣＭＹＫ信号における６分割されたＲＧＢ信号の色域を示した。図８は色相に曲がりが無いＣＭＹＯＫ信号における７分割されたＲＧＢ信号の色域を示した。図９はＹ色相の彩度θ１で曲がりがあるＣＭＹＫ信号における８分割されたＲＧＢ信号の色域を示した。Ｙ色相線における彩度θ1は色度変換方針に則りＲＧＢ信号の彩度√r2+g2＝ｘ1が割当てられる。図１０はＹ色相の彩度θ１とＯ色相の彩度θ２で曲がりがあるＣＭＹＯＫ信号における１１分割されたＲＧＢ信号の色域を示した。Ｏ色相線における彩度θ2は色度変換方針に則りＲＧＢ信号の彩度√r2+g2＝ｘ2が割当てられる。図１２は色相に曲がりが無いＣＭＹＯＥＫ信号における８分割されたＲＧＢ信号の色域を示した。
【００４０】
（６）色度変換関数を算出
色度変換関数は分割されたＲＧＢ信号の色域毎に設定され、ＲＧＢ信号の色度から出力信号の色度を演算する関数である。RGB信号の色度成分比で分割された色域において、その色域に属する出力色度代表点とＲＧＢ信号の色度の組合せが判明する。色度変換関数は、分割された色域毎の出力色度代表点とＲＧＢ信号の色度の組合せから帰納法により求められる。
【００４１】
図７は出力信号がＣＭＹＫ信号で出力成分の色相線に曲がりが無い例である。ＲＧＢ信号の色域をＣＭＹＫ信号に対応させて色度で６分割している。色度変換関数は６分割された色域毎に設定される。６つの色度変換関数は図２に示す様に、（１）r=0,g/b≦cでは色度変換関数Fcm、（２）g=0,b/r≧mでは色度変換関数Fmc、（３）g=0,b/r≦mでは色度変換関数Fmy、（４）b=0,r/g≧yでは色度変換関数Fym、（５）b=0,r/g≦yでは色度変換関数Fyc、（６）r=0,g/b≧cでは色度変換関数Fcy、となる。
【００４２】
図８は出力信号がＣＭＹＯＫ信号で出力成分の色相線に曲がりが無い例である。ＲＧＢ信号の色域をＣＭＹＯＫ信号に対応させて色度で７分割している。色度変換関数は７分割された色域毎に設定される。７つの色度変換関数は図２１に示す様に、（１）r=0,g/b≦cでは色度変換関数Fcm、（２）g=0,b/r≧mでは色度変換関数Fmc、（３）g=0,b/r≦mでは色度変換関数Fmo 、（４）b=0,r/g≧oでは色度変換関数Fom 、（５）b=0,0≧r/g≧yでは色度変換関数Fyo 、（６）b=0,r/g≦yでは色度変換関数Fyc 、（７）r=0,g/b≧cでは色度変換関数Fcy、である。
【００４３】
図９は出力信号がＣＭＹＫ信号のＹ色相線に彩度θ1で曲がりがある例である。Ｙ色相線の曲がりは色度変換を複雑化するので曲がり前と曲がり後で色域を独立させて色度変換の複雑化を避けている。Ｙ色相線の彩度θ1は色度変換方針に則りＲＧＢ信号の彩度√r2+g2＝ｘ1に割当てられるとすると、Ｙ色相線の曲がり前の色域はＲＧＢ信号の（４）b=0,√r2+g2≦ｘ1,r/g≧y1と（６）b=0,√r2+g2≦ｘ1,r/g≦y1となる。Ｙ色相線の曲がり後の色域は（５）b=0,√r2+g2≧ｘ1,r/(g+γ)≧y2 と（７）b=0,√r2+g2≧ｘ1,r/(g+γ)≦y2となる。ＲＧＢ信号の色域はＣＭＹＫ信号に対応させて色度と彩度で８分割となる。色度変換関数は８分割されて色度変換が単純化された色域毎に設定される。８つの色度変換関数は図２２に示す様に、（１）r=0,g/b≦cでは色度変換関数Fcm、（２）g=0,b/r≧mでは色度変換関数Fmc、（３）g=0,b/r≦mでは色度変換関数Fmy、（４）b=0,√r2+g2≦ｘ1,r/g≧y1では色度変換関数Fy1m、（５）b=0,√r2+g2≧ｘ1,r/(g+γ)≧y2では色度変換関数Fy2m、（６）b=0,√r2+g2≦ｘ1,r/g≦y1では色度変換関数Fy1c、（７）b=0,√r2+g2≧ｘ1,r/(g+γ)≦y2では色度変換関数Fy2c、（８）r=0,g/b≧cでは色度変換関数Fcy、となる。
【００４４】
図１０は出力信号がＣＭＹＯＫ信号で出力成分のＹ色相線に彩度θ1とＯ色相線に彩度θ2で曲がりがある例である。Ｙ色相線とＯ色相線の曲がりは色度変換を複雑化するので曲がり前と曲がり後で色域を独立させて色度変換の複雑化を避けている。Ｙ色相線の彩度θ1は色度変換方針に則りＲＧＢ信号の彩度√r2+g2＝ｘ1でＯ色相線の彩度θ2は色度変換方針に則りＲＧＢ信号の彩度√r2+g2＝ｘ2に割当てられるとすると、Ｙ色相線の曲がり前のＹ色相線とＣ色相線に囲まれた色域色域はＲＧＢ信号の（６）b=0,√r2+g2≦x1,o1≧r/g≧y1と（９）b=0,√r2+g2≦x1,r/g≦y1となる。Ｏ色相線の曲がり前のＯ色相線とＭ色相線に囲まれた色域はＲＧＢ信号の（４）b=0,√r2+g2≦x2,r/g≧o1となる。Ｙ色相線とＯ色相線に囲まれた色域は彩度ｘ1＜ｘ2とするとＯ色相線の曲がり前でＹ色相線の曲がり後の色域は（７）b=0,x2≧√r2+g2≧x1,o1≧r/g≧y1となり、Ｏ色相線の曲がり後でＹ色相線も曲がり後の色域は（８）b=0,√r2+g2≧x2, o2≧r/(g+γ)≧y2となる。ＲＧＢ信号の色域はＣＭＹＯＫ信号に対応させて色度と彩度で１１分割となる。色度変換関数は１１分割されて色度変換が単純化された色域毎に設定される。１１の色度変換関数は図２３に示す様に、（１）r=0,g/b≦cでは色度変換関数Fcm、（２）g=0,b/r≧mでは色度変換関数Fmc、（３）g=0,b/r≦oでは色度変換関数Fmo、（４）b=0,√r2+g2≦x2,r/g≧o1では色度変換関数Fo1m、（５）b=0, √r2+g2≧x2,r/(g+δ)≧o2では色度変換関数Fo2m、（６）b=0,√r2+g2≦x1,o1≧r/g≧y1では色度変換関数Fy1o1、（７）b=0,x2≧√r2+g2≧x1,o1≧r/g≧y1では色度変換関数Fy2o1、（８）b=0,√r2+g2≧x2, o2≧r/(g+γ)≧y2では色度変換関数Fy2c、（９）b=0,√r2+g2≦x1,r/g≦y1では色度変換関数Fy1c、（１０）b=0,√r2+g2≧x1,r/(g+γ)≦y2では色度変換関数Fy2c、（１１）r=0,g/b≧cでは色度変換関数Fcy、となる。
【００４５】
図１２は出力信号がＣＭＹＯＥＫ信号で出力成分の色相線に曲がりが無い例を示す。ＲＧＢ信号の色域をＣＭＹＯＥＫ信号に対応させて色度で８分割している。
【００４６】
この様にＲＧＢ信号の色域は色相線と彩度により分割され、色度変換を単純化された色域毎にＲＧＢ信号の色度から出力信号の色度を演算する関数として帰納法により色度変換関数が算出される。図１１に色変換における色度変換の位置付けを示す。
【００４７】
（実施例２）
図５に示した墨変換関数の作成フローにしたがって本発明による墨変換関数の作成について説明する。ＣＭＹＫ信号や特色を加えたＣＭＹＯＫ信号の明度制御は墨Ｋや墨ＣＭＹ等により行われる。ＲＧＢ信号で出力信号の明度に該当するのは輝度である。RGB信号の輝度はそれ自体に色の寄与が考慮されていて0.299R+0.587G+0.114Bで演算される。輝度から出力信号の明度制御に用いる墨Ｋや墨ＣＭＹ等を演算できれば良いが、出力信号の成分にはそれ自体に夫々の墨要素を有しているため単純に輝度を墨に変換すると所望の明度と誤差が生まれる。墨寄与が最も大きいのはM成分、続いてC成分、O成分、殆ど墨寄与が無いのはY成分である。ここで本発明は、輝度から出力信号の墨を演算するに当たり、出力信号の成分毎に色域を分割して、この分割された色域毎に墨変換関数を設定した。墨変換関数は出力信号の色度と輝度から出力信号の墨を演算する。色域を分割して墨の演算を単純化し、墨変換誤差を出力信号の色度と輝度からの演算で解消した。
【００４８】
CMYK信号の墨変換用に色相線で６分割した色域を図１８に示す。５つの同心円は彩度を表し、中心は白、最外郭にある実線の円は墨が入らない最大彩度を示す。放射状の直線は色相線で実線のＣＭＹの成分からなる３本とＣＭＹ成分が１：１となる３本で墨変換用に色域を６分割している。６本の一点鎖線は分割した色域を補足的に表す色相線である。分割される色域は、（１）Ｃ≧Ｍ、（２）Ｃ≦Ｍ、（３）Ｍ≧Ｙ、（４）Ｍ≦Ｙ、（５）Ｙ≧Ｃ、（６）Ｙ≦Ｃ、である。図１８にはＣＭＹＫ信号の色域の色度を表す墨色度代表点も表している。墨色度代表点は５つの同心円と放射状の１２本の直線との交点である。墨色度代表点に墨を付加してＣＭＹＫ信号の色域を表す墨代表点とする。
【００４９】
CMYOK信号の墨変換用に分割した色域を図１９に示す。８分割する色相線はＣＭＯの成分からなる４本とＣＭＹＯ成分が１：１となる４本である。分割される色域は、（１）Ｃ≧Ｍ、（２）Ｃ≦Ｍ、（３）Ｍ≧Ｏ、（４）Ｏ≧Ｍ、（５）Ｙ≦Ｏ、（６）Ｙ≧Ｏ、（７）Ｙ≧Ｃ、（８）Ｙ≦Ｃ、である。８本の一点鎖線は分割した色域を補足的に表す色相線である。墨色度代表点は５つの同心円と放射状の１６本の直線との交点である。墨色度代表点に墨を付加してＣＭＹＯＫ信号の色域を表す墨代表点となる。図２０にC色相における墨代表点、図２４にC:M=1:1色相における墨代表点、図２５にＭ:Ｏ=1:1色相における墨代表点、図２６にO色相における墨代表点、図２７にＹ:Ｏ=1:1色相における墨代表点、図２８；Y色相における墨代表点、図２９にY:C=1:1色相における墨代表点、を示す。出力信号の色域内に分布した墨代表点に対し図１７に示すような輝度と明度の変換方針に則りＲＧＢ信号の輝度を割当て、墨代表点とＲＧＢ信号の望ましい組合せを作った。墨変換関数は、墨変換用に分割された出力信号の色域毎に設置する。墨変換関数は出力色度と輝度から出力信号の墨を演算する。墨変換関数は墨変換用に分割された色域におけるＲＧＢ信号の輝度と墨代表点の墨との組合せから帰納法により求められる。演算される墨は、低彩度の高明度色域では出力信号の成分が少なく墨による粒状感の問題を回避するため墨ＣＭＹが主となり、高彩度や低明度の墨は出力信号量を抑制するため墨Ｋが主体となる。
【００５０】
（１）墨変換関数用に出力信号の色域を分割して墨色度代表点を設定
墨変換用に分割される色域の境界線は、単一成分の色相と隣接する成分と1：1の混色となる色相となる。CMYK信号では境界線が６本、図１８の実線の直線で示す。CMYOK信号では境界線が８本、図１９の実線の直線で示す。この様に墨変換用に分割した色域においては、墨に影響する成分が単純増加又は単純減少となるため墨を演算する墨変換関数が単純化できる。
【００５１】
図１８の点線の同心円は墨を決定するための墨色度代表点を示すための主要な彩度を表す。色相と彩度の交点が墨を決定するための主要な色度である墨色度代表点で、図１８にCMYK信号の色度を表す。この色度に墨を加えて色域を表す墨代表点とする。CMYOK信号を表す墨色度代表点は図１９に示す。
【００５２】
（２）墨カラーパッチを作成し主観評価と測色
図２０にC色相における墨代表点、図２４にC:M=1:1色相における墨代表点、図２５にO色相における墨代表点、図２６にY色相における墨代表点、図２７にY:C=1:1色相における墨代表点、を示す。図３５にCMYK信号における墨代表点の成分、図３６にCMYOK信号における墨代表点の成分を示す。墨カラーパッチはこの図３５と図３６にある墨代表点を基にして作成される。作成された墨カラーパッチは粒状感等の画質を主観的に評価されて、好ましい墨Kや墨CMYが墨代表点毎に設定される。主観評価に合格した墨カラーパッチを測色する。
【００５３】
（３）RGB信号の色域を測色
先の色度変換で図１５に示したＲＧＢ信号の高輝度側色域の色度を均一に表す高輝度側入力色度代表点に対応した低輝度側入力色度代表点を図３４に示す。低輝度側入力色度代表点のＲＧＢ信号は２又は１つの成分の点灯となっている。この低輝度側入力色度代表点を測色してRGB信号の低輝度側色域の測色値とする。
【００５４】
（４）墨変換方針の決定
墨カラーパッチの測色値と入力色度代表点と低輝度側入力色度代表点代表点の測色を並べて、図２８に示す様な変換モードから各々の墨変換方針を決定する。墨変換方針に則り墨代表点毎にＲＧＢ信号の測色値が割当てられる。
【００５５】
（５）出力信号の墨に対応する輝度を決定
墨代表点の測色値に対応したRGB信号の測色値から、該当するRGB信号を探索し、その輝度を演算する。ＣＭＹＫ信号では図３５、ＣＭＹＯＫ信号では図３６に示す墨代表点の成分から墨ＣＭＹと墨Ｋが適宜組み合わされた墨を得る。墨代表点毎に輝度と墨の組合せを得る。
【００５６】
（６）墨変換関数を算出
墨色度代表点の出力信号の色度、墨を付加した墨代表点の墨、墨変換方針に則った輝度、などから帰納法により、分割された色域毎の墨変換関数は帰納法により算出される。図１１に色変換における墨変換の位置付けを示す。
【００５７】
（実施例３）
以下、図１に示すＲＧＢ信号から出力信号への色変換フローにしたがって本発明による実施例を詳細に説明する。図１１は色変換フローで、RGB信号から出力信号であるCMYOK信号への色変換を示す。実施例では本発明の理解のために色度変換、墨変換、色度と墨の合成としたが、色度変換、墨変換と色度との合成としても良い。
【００５８】
（１）ＲＧＢ信号の輝度と色度を演算
RGB信号３成分の内の最小成分を見出し、他の２成分の成分量から最小成分量を削除してRGB信号の色度とする。図１１の（１）に示す様にRGB信号３成分から白R=G=Bを削除した色がRGB信号の色度で２又は１成分となる。輝度は0.299R+0.587G+0.114Bに則り求める。
【００５９】
（２）色度変換関数を選択して出力信号の色度へ変換
ＲＧＢ信号の色相と彩度から、色度変換関数用に分割されたＲＧＢ信号の色域を判定し、その色域に属する色度変換関数を選択する。ＲＧＢ信号の色度から選択された色度変換関数で出力信号の色度を求める。
【００６０】
図２にＣＭＹＯＫ信号の色相に曲がりが無い場合の色度変換関数選択を示す。色度変換関数は、（１）r=0,g/b≦cでは色度変換関数Fcm、（２）g=0,b/r≧mでは、色度変換関数Fmc、（３）g=0,b/r≦mでは色度変換関数Fmy、（４）b=0,r/g≧yでは色度変換関数Fym、（５）b=0,r/g≦yでは色度変換関数Fyc、（６）r=0,g/b≧cでは色度変換関数Fcy、となる。
【００６１】
図２１に色相に曲がりが無いＣＭＹＫ信号の色度変換関数選択を示す。色度変換関数は、（１）r=0,g/b≦cでは色度変換関数Fcm、（２）g=0,b/r≧mでは色度変換関数Fmc、（３）g=0,b/r≦mでは色度変換関数Fmo、（４）b=0,r/g≧oでは色度変換関数Fom、（５）b=0,0≧r/g≧yでは色度変換関数Fyo、（６）b=0,r/g≦yでは色度変換関数Fyc、（７）r=0,g/b≧cでは色度変換関数Fcy、となる。
【００６２】
図２２に彩度θ1でＹ色相が曲がるＣＭＹＫ信号の色度変換関数選択フローを示す。Ｙ色相の彩度θ1がＲＧＢ信号の彩度ｘ1に該当する場合の色度変換関数は、（１）r=0,g/b≦cでは色度変換関数Fcm、（２）g=0,b/r≧mでは色度変換関数Fmc、（３）g=0,b/r≦mでは色度変換関数Fmy、（４）b=0,√r2+g2≦ｘ1,r/g≧y1では色度変換関数Fy1m、（５）b=0,√r2+g2≧ｘ1,r/(g+γ)≧y2では色度変換関数Fy2m、（６）b=0,√r2+g2≦ｘ1,r/g≦y1では色度変換関数Fy1c、（７）b=0,√r2+g2≧ｘ1,r/(g+γ)≦y2では色度変換関数Fy2c、（８）r=0,g/b≧cでは色度変換関数Fcy、となる。
【００６３】
図２３に彩度θ1でＹ色相、彩度θ2でＯ色相が曲がるＣＭＹＯＫ信号の色度変換関数選択フローを示す。Ｙ色相の彩度θ1がＲＧＢ信号の彩度ｘ1、Ｏ色相の彩度θ2がＲＧＢ信号の彩度ｘ2に該当する場合の色度変換関数は、（１）r=0,g/b≦cでは色度変換関数Fcm、（２）g=0,b/r≧mでは色度変換関数Fmc、（３）g=0,b/r≦oでは色度変換関数Fmo、（４）b=0,√r2+g2≦x2,r/g≧o1では色度変換関数Fo1m、（５）b=0, √r2+g2≧x2,r/(g+δ)≧o2では色度変換関数Fo2m、（６）b=0,√r2+g2≦x1,o1≧r/g≧y1では色度変換関数Fy1o1、（７）b=0,x2≧√r2+g2≧x1,o1≧r/g≧y1では色度変換関数Fy2o1、（８）b=0,√r2+g2≧x2, o2≧r/(g+γ)≧y2では色度変換関数Fy2c、（９）b=0,√r2+g2≦x1,r/g≦y1では色度変換関数Fy1c、（１０）b=0,√r2+g2≧x1,r/(g+γ)≦y2では色度変換関数Fy2c、（１１）r=0,g/b≧cでは色度変換関数Fcy、となる。
【００６４】
（３）墨変換関数を選択して墨へ変換
求められた出力信号の色度から、墨変換関数用に分割された出力信号の色域を判定し、その色域に属する墨変換関数を選択する。ＲＧＢ信号の輝度から選択された墨変換関数で出力信号の墨を求める。
【００６５】
図３にＣＭＹＫ信号の色度から墨変換関数を選択するフローを示す。墨変換関数は、（１）y=0,c≧mでは墨変換関数Lmc、（２）y=0,c≦mでは墨変換関数Lmc、（３）c=0,m≧yでは墨変換関数Lmy、（４）c=0,m≦yでは墨変換関数Lym、（５）m=0,y≧cでは墨変換関数Lyc、（６）m=0,y≦cでは墨変換関数Lcy、となる。図３１にＣＭＹＯＫ信号の色度から墨変換関数を選択するフローを示す。墨変換関数は、（１）y=0,o=0,c≧mでは墨変換関数Lcm、（２）y=0,o=0,c≦mでは墨変換関数Lmc、（３）c=0,y=0,m≧oでは墨変換関数Lmy、（４）c=0,y=0,m≦oでは墨変換関数Lym、（５）c=0,m=0,o≧yでは墨変換関数Loy、（６）c=0,m=0,o≦yでは墨変換関数Lyo、（７）m=0,o=0,y≧cでは墨変換関数Lyc、（８）m=0,o=0,y≦cでは墨変換関数Lcy、となる。
【００６６】
図１８に墨変換関数用に分割されたＣＭＹＫ信号の色域を示す。分割されたＣＭＹＫ信号の色域は、（１）Ｃ≧Ｍ、（２）Ｃ≦Ｍ、（３）Ｍ≧Ｙ、（４）Ｍ≦Ｙ、（５）Ｙ≧Ｃ、（６）Ｙ≦Ｃ、である。図１９に墨変換関数用に分割されたＣＭＹＯＫ信号の色域を示す。分割されたＣＭＹＯＫ信号の色域は、（１）Ｃ≧Ｍ、（２）Ｃ≦Ｍ、（３）Ｍ≧Ｏ、（４）Ｏ≧Ｍ、（５）Ｙ≦Ｏ、（６）Ｙ≧Ｏ、（７）Ｙ≧Ｃ、（８）Ｙ≦Ｃ、である。
【００６７】
（４）色度と墨を合成して色変換された出力信号を合成
出力信号がＣＭＹＫ信号の場合は、ＣＭＹＫ信号の色度(c,m,y)と墨(c,m,y,k)を合成してＣＭＹＫ信号(c,m,y,k) を得る。出力信号がＣＭＹＯＫ信号の場合は、ＣＭＹＯＫ信号の色度(c,m,y,o)と墨(c,m,y,o,k)を合成してＣＭＹＯＫ信号(c,m,y,o,k)を得る。
【図面の簡単な説明】
【００６８】
【図１】ＲＧＢ信号から出力信号への色変換フローを示す図である。
【図２】ＣＭＹＫ信号の色度変換関数選択フローを示す図である。
【図３】ＣＭＹＫ信号の墨変換関数選択フローを示す図である。
【図４】色度変換関数の作成フローを示す図である。
【図５】墨変換関数の作成フローを示す図である。
【図６】色度変換例（ＲＧＢ信号の彩度からＣＭＹＯＫ信号の彩度）を示す図である。
【図７】ＲＧＢ信号の色度とＣＭＹＫ信号の色度の関係を示す図である。
【図８】ＲＧＢ信号の色度とＣＭＹＯＫ信号の色度の関係を示す図である。
【図９】ＲＧＢ信号の色度とＣＭＹＫ信号の色度の関係を示す図である。
【図１０】ＲＧＢ信号の色度とＣＭＹＯＫ信号の色度の関係を示す図である。
【図１１】ＲＧＢ信号から出力信号のＣＭＹＯＫ信号への色変換を示す図である。
【図１２】ＲＧＢ信号の色度とＣＭＹＯＥＫ信号の色度の関係を示す図である。
【図１３】ＣＭＹＫ色域の出力色度代表点を示す図である。
【図１４】ＣＭＹＯＫ色域の出力色度代表点を示す図である。
【図１５】ＲＧＢ信号の高輝度側入力色度代表点を示す図である。
【図１６】ＣＭＹＯＫ信号に対応する高輝度側ＲＧＢ信号を示す図である。
【図１７】輝度明度変換例を示す図である。
【図１８】ＣＭＹＫ信号の墨色度代表点を示す図である。
【図１９】ＣＭＹＯＫ信号の墨色度代表点を示す図である。
【図２０】Ｃ色相における墨代表点を示す図である。
【図２１】ＣＭＹＯＫ信号の色度変換関数選択フローを示す図である。
【図２２】ＣＭＹＫ信号の色度変換関数選択フローを示す図である。
【図２３】ＣＭＹＯＫ信号の色度変換関数選択フローを示す図である。
【図２４】Ｃ：Ｍ＝１：１色相における墨代表点を示す図である。
【図２５】Ｍ：Ｏ＝１：１色相における墨代表点を示す図である。
【図２６】Ｏ色相における墨代表点を示す図である。
【図２７】Ｙ：Ｏ＝１：１色相における墨代表点を示す図である。
【図２８】Ｙ色相における墨代表点を示す図である。
【図２９】Ｙ：Ｃ＝１：１色相における墨代表点を示す図である。
【図３０】ＣＭＹＫ信号の色度カラーパッチの成分を示す図である。
【図３１】ＣＭＹＯＫ信号の墨変換関数選択フローを示す図である。
【図３２】ＣＭＹＯＫ信号の色度カラーパッチの成分を示す図である。
【図３３】ＲＧＢ信号の高輝度側入力色度代表点を示す図である。
【図３４】ＲＧＢ信号の低輝度側入力色度代表点を示す図である。
【図３５】ＣＭＹＫ信号における墨代表点を示す図である。
【図３６】ＣＭＹＯＫ信号における墨代表点を示す図である。
【図１】
2007129439.tif 000003
【図２】
2007129439.tif 000004
【図３】
2007129439.tif 000005
【図４】
2007129439.tif 000006
【図５】
2007129439.tif 000007
【図６】
2007129439.tif 000008
【図７】
2007129439.tif 000009
【図８】
2007129439.tif 000010
【図９】
2007129439.tif 000011
【図１０】
2007129439.tif 000012
【図１１】
2007129439.tif 000013
【図１２】
2007129439.tif 000014
【図１３】
2007129439.tif 000015
【図１４】
2007129439.tif 000016
【図１５】
2007129439.tif 000017
【図１６】
2007129439.tif 000018
【図１７】
2007129439.tif 000019
【図１８】
2007129439.tif 000020
【図１９】
2007129439.tif 000021
【図２０】
2007129439.tif 000022
【図２１】
2007129439.tif 000023
【図２２】
2007129439.tif 000024
【図２３】
2007129439.tif 000025
【図２４】
2007129439.tif 000026
【図２５】
2007129439.tif 000027
【図２６】
2007129439.tif 000028
【図２７】
2007129439.tif 000029
【図２８】
2007129439.tif 000030
【図２９】
2007129439.tif 000031
【図３０】
2007129439.tif 000032
【図３１】
2007129439.tif 000033
【図３２】
2007129439.tif 000034
【図３３】
2007129439.tif 000035
【図３４】
2007129439.tif 000036
【図３５】
2007129439.tif 000037
【図３６】
2007129439.tif 000038